(57)【要約】【課題】  ３ＤＣＡＤ装置における図面の印刷の効率化を図る。【解決手段】  ３次元モデルに対する属性情報が配置される平面を前記３次元モデルと同一の３次元空間上に仮想的に表示する表示手段と、前記表示手段によって表示された平面を指定手段によって直接指定することにより、前記指定された仮想的な平面の法線方向から見た前記３次元モデルと前記属性情報の印刷データを出力する出力手段とを有することを特徴とする情報処理装置。【選択図】  図１
2005135272.tif 000002
【特許請求の範囲】
【請求項１】
３次元モデルに対する属性情報が配置される平面を前記３次元モデルと同一の３次元空間上に仮想的に表示する表示手段と、
前記表示手段によって表示された平面を指定手段によって指定することにより、前記指定された仮想的な平面の法線方向から見た前記３次元モデルと前記属性情報の印刷データを出力する出力手段とを有することを特徴とする情報処理装置。
【請求項２】
請求項１において、前記平面の法線方向は、前記表示手段の前記３次元モデルに対する視線方向と異なることを特徴とする情報処理装置。
【請求項３】
請求項１において、さらに、前記仮想的な平面に対し、上記印刷データの範囲を設定する印刷範囲設定手段を有することを特徴とする情報処理装置。
【請求項４】
請求項３において、前記印刷範囲設定手段は、段階的に前記印刷データの範囲を設定することを特徴とする情報処理装置。
【請求項５】
請求項１ないし請求項３のいずれか１項において、さらに、前記仮想的な平面の法線方向から見た前記３次元モデルと前記属性情報を表示するための尺度を設定する尺度設定手段を有することを特徴とする情報処理装置。
【請求項６】
請求項５において、前記印刷範囲設定手段は、前記尺度に基づき印刷範囲を設定することを特徴とする情報処理装置。
【請求項７】
請求項１ないし請求項５のいずれか１項において、前記出力手段は、前記平面毎に印刷データを出力することを特徴とする情報処理装置。
【請求項８】
３次元モデルに対する属性情報が配置される平面を前記３次元モデルと同一の３次元空間上に仮想的に表示する表示工程と、
前記表示工程によって表示された平面を印刷対象として指定することにより、前記指定された仮想的な平面の法線方向から見た前記３次元モデルと前記属性情報の印刷データを出力する出力工程とを有することを特徴とする情報処理方法。
【請求項９】
請求項８において、前記平面の法線方向は、前記表示工程の前記３次元モデルに対する視線方向と異なることを特徴とする情報処理方法。
【請求項１０】
請求項８において、さらに、前記仮想的な平面に対し、上記印刷データの範囲を設定する印刷範囲設定工程を有することを特徴とする情報処理方法。
【請求項１１】
請求項１０において、前記印刷範囲設定工程は、段階的に前記印刷データの範囲を設定することを特徴とする情報処理方法。
【請求項１２】
請求項８ないし請求項１０のいずれか１項において、さらに、前記仮想的な平面の法線方向から見た前記３次元モデルと前記属性情報を表示するための尺度を設定する尺度設定工程を有することを特徴とする情報処理方法。
【請求項１３】
請求項１２において、前記印刷範囲設定工程は、前記尺度に基づき印刷範囲を設定することを特徴とする情報処理方法。
【請求項１４】
請求項８ないし請求項１３のいずれか１項において、前記出力工程は、前記平面毎に印刷データを出力することを特徴とする情報処理方法。
【請求項１５】
請求項８ないし請求項１４に記載の情報処理方法を実行するためのプログラム。
【請求項１６】
請求項１５に記載のプログラムを記憶した記憶媒体。
【発明の詳細な説明】
【技術分野】
【０００１】
本発明は情報処理装置及び方法に関し、特に、３次元ＣＡＤ（以下３次元を３Ｄと記す）を用いて３Ｄモデル（３Ｄ形状）を作成する情報処理装置及び方法に関する。
【背景技術】
【０００２】
従来から３Ｄ−ＣＡＤを用いて商品や製品を構成する部品・ユニット等の３Ｄのモデル（以下、単に部品という）の設計が行われている。この３Ｄ−ＣＡＤを用いた設計においては、設計した部品の３Ｄモデルの面、稜線、あるいは頂点等の要素に対して寸法、寸法公差、幾何公差、注記、記号などの属性情報が入力される。
【０００３】
３Ｄモデルおよび属性情報は、設計者あるいは各種技術者によるチェック結果あるいは検討結果の書き込み等のため、紙等の記録媒体に印刷される。３Ｄ−ＣＡＤの３Ｄモデルおよび属性情報をプリンタ等で紙等の記録媒体に印刷する方法としては以下の二通りの方法がある。
【０００４】
第一の方法は、３Ｄ−ＣＡＤの３Ｄモデルおよび属性情報を２Ｄ−ＣＡＤのシステムに送信し、２Ｄ−ＣＡＤシステム上でいわゆる印刷用の図面を作成印刷する方法である。
【０００５】
第二の方法は、３Ｄ−ＣＡＤにおいて、ＣＲＴなどの表示画面に表示するためにビットマップデータなどの画像情報としてイメージデータ化されたビューポート（作図領域の中に部分的に矩形の領域を決めて、そこを作図領域とする場所）内の３Ｄモデルおよび属性情報をプリンタ等に出力して印刷する方法がある。
【特許文献１】特開２００２−３２４０８６号公報
【特許文献２】特開平７−２００８７４号公報
【特許文献３】特開平０９−３０９６６５号公報
【発明の開示】
【発明が解決しようとする課題】
【０００６】
前述の３Ｄモデルおよび属性情報を印刷する第一の方法では、印刷するために２Ｄ−ＣＡＤ上でいわゆる図面を作成しなければならず面倒な作業が必要となる。具体的には、２Ｄ−ＣＡＤ上での図面作成においては、ビュー（３Ｄモデルを表示する視線方向）の設定、投影図の配置、尺度の設定を行う必要がある。また必要に応じ断面図の切断線の指示、あるいは部分拡大図の範囲と名称の指示、あるいは矢視図の指示が必要となる。これらの作業は部品が単純な形状であれば短時間で行えるが、大型の部品あるいは複雑な形状を有する部品で、多くの投影図、断面図、部分拡大図等多量の図面を印刷出力しなければならない場合は、長時間を要するものである。
【０００７】
また３Ｄ−ＣＡＤで設計行為が完結せず、２Ｄ−ＣＡＤでの作業が必要になることは、設計者により多くの操作コマンドの習得を強いることとなり、良好な操作環境とは言えない。さらには、設計行為の途中での各種チェックの度に、その時点での最新の情報で２Ｄ−ＣＡＤの図面を作成しなければならないことは、著しく効率を下げることとなってしまう。
【０００８】
また、前述の３Ｄモデルおよび属性情報を印刷する第二の方法では、必要な図面情報を１枚印刷するたびに３Ｄモデルの向きを変えたりしなければならず、効率が悪い。
【課題を解決するための手段】
【０００９】
本発明は上述した問題点を解決するために、３次元モデルに対する属性情報が配置される平面を前記３次元モデルと同一の３次元空間上に仮想的に表示する表示手段と、前記表示手段によって表示された平面を指定手段によって指定することにより、前記指定された仮想的な平面の法線方向から見た前記３次元モデルと前記属性情報の印刷データを出力する出力手段とを有することを特徴とする情報処理装置を提供する。
【発明の効果】
【００１０】
本発明によれば、所望の図面情報を効率よく印刷出力することができる。
【発明を実施するための最良の形態】
【００１１】
図１〜図１０を用いて本発明の一実施の形態を詳細に説明する。
【００１２】
図２に本実施の形態の情報処理装置である３Ｄ−ＣＡＤ装置のブロック図を示す。図２において、情報処理装置は、ＣＡＤデータや本実施の形態の動作処理プログラムを展開するためのＲＡＭ２０１、ＣＡＤデータや本実施の形態の動作処理プログラムを格納するハードディスクなどの外部記憶装置２０２を有する。また、情報処理装置は、ＲＡＭ２０１に展開されたプログラムに基づいて処理を実行するＣＰＵ２０３、ＣＰＵ２０３から送られてくる幾何形状の幾何データに対し、いわゆるクリッピング、シェーディング等の幾何計算、および画像データのピクセルデータ計算、隠面処理等のラスター化処理を実行し、不図示の記憶装置（表示バッファ）に保持し、後述の表示装置２０５に画像データを出力する画像処理装置２０４を有する。
【００１３】
また、情報処理装置は、ＣＰＵ２０３の命令に基づいて画像処理装置２０４から出力されるピクセルデータにより、３Ｄモデルの形状および属性情報等を表示する表示装置２０５を有する。３Ｄモデルの形状および属性情報は、表示装置２０５における表示に際し、ズーム、パン、回転等のＣＡＤの機能を用いて表示範囲を定めることができる。具体的には、３Ｄモデルに対する視点の位置およびその視点位置から３Ｄモデルを見る視線方向（視軸の方向）、視野の角度、視点方向の視野範囲（視野空間）等により表示範囲を定めることができる。
【００１４】
また、情報処理装置は、プリンタあるいはプロッタとしての出力装置２０６を有する。印刷処理の流れとして、まず、画像処理装置２０４でラスター化された画像データが一時的にＲＡＭ装置２０１に保持され、ＣＰＵ２０３の処理に基づいて変換された所定のフォーマットの画像データを紙等の記録媒体に印刷出力する。印刷出力は画像処理装置２０４でラスター化された画像データを利用したビットマップデータ等のイメージデータでの出力であり、簡単な処理のみで短時間で印刷出力できるものである。
【００１５】
入力装置２０７はＣＡＤプログラムに対して指示等を与えるマウス、キーボードなどによって構成される。また、外部接続装置は、情報処理装置と外部の装置とを接続し、本装置と外部装置とのデータの交換を行うためのものである。
【００１６】
図３は、本実施例で説明のために用いる３Ｄモデルの一例を示すものである。本実施の形態においては説明の簡略化のため比較的単純な形状の部品を用いるが、本発明の考え方は数百〜数千以上の要素を有する複雑な形状の部品においても当然適用できるものである。図３の３Ｄモデル１をいわゆる２Ｄの図面で寸法等を表記した例を図４に示す。図４において、３Ｄモデル１は、正面図、平面図、右側面図、および図面を２倍に拡大した詳細図を示している。
【００１７】
図３に示す３Ｄモデル１を用いて、図１に示すフローチャートに沿って属性情報の設定から本実施の形態における図面の印刷出力処理について説明する。
【００１８】
まずステップＳ１０１において、３Ｄモデル１に対し、３Ｄモデル１の寸法、公差等の属性情報を表記するための属性配置平面２ａ、２ｂ、２ｃ、および２ｄを設定する（図５）。図５の属性配置平面２ａ〜２Ｄは、それぞれ図４の正面図、平面図、右側面図、および詳細図に対応する。
【００１９】
次にステップＳ１０２において、寸法などの必要な属性情報を入力し、各属性情報を属性配置平面２ａ〜２ｄのいずれかに関連付け、属性配置平面２ａ〜２ｄ上の所望の位置に配置する。図６に、属性配置平面２ａに属性情報を関連付けた状態を表示した例を示す。
【００２０】
次にステップＳ１０３において、３Ｄモデル１の形状と属性情報が見間違うことなく明確に見ることができる尺度を各属性配置平面２ａ〜２ｄに設定する。本実施例においては属性配置平面２ａ、２ｂ、２Ｃに対しては１：１の尺度が、詳細図に相当する属性配置平面２ｄに対しては２：１の尺度が設定される。この設定された尺度に基づいて、３Ｄモデル１と属性情報の表示および印刷出力が実行される。
【００２１】
また、尺度の設定の前にあらかじめ尺度のキャリブレーションがなされる。該キャリブレーションは、表示装置２０５および表示装置２０５の３Ｄ空間を表示するビューポートの大きさを一定とした上でなされる。例えば３Ｄ空間内の任意の表示範囲、すなわち任意のズームの度合いにおいて、画面上にＣＡＤプログラムがその長さが既知である線分を表示させる。線分の表示される長さは、上記ズームの度合いにより実際の長さと異なるものである。そして線分の表示されている長さを実際のスケール（ものさし）等で測定し、この測定結果を入力し、ＣＡＤプログラムがこの測定結果と上記既知の長さと測定結果を比較することで表示範囲を尺度に応じた表示範囲にすることができる。
【００２２】
例えば既知の長さが１００ｍｍの線分の測定結果が１５０ｍｍの場合は、ズームで縦横２／３倍に縮小表示する。言い換えれば、３Ｄ空間内の表示範囲を縦横に１．５倍にすることで、３Ｄ空間内で１００ｍｍの長さが表示画面上でも１００ｍｍに表示され、１：１の表示が可能となる。
【００２３】
またこの状態から、各種の尺度に応じて表示範囲を変更することで、各種の尺度に応じた表示が可能となる。また、上記表示範囲と上記測定結果を記憶しておくことで、任意のタイミングで尺度に応じた表示が可能となる。さらには、属性情報の文字等の大きさを尺度と反比例する設定とすることで、上記尺度に応じた表示の際に、尺度によらず同じ大きさで属性情報を表示できる。
【００２４】
例えば尺度が１：１のときに属性情報の文字の大きさを４ｍｍ、５：１のときに０．８ｍｍとしておけば、尺度に応じた表示の際には常に属性情報の文字の大きさは４ｍｍとなる。これにより見やすい表示を得ることができる。
【００２５】
属性配置平面２ａ〜２ｄをそれぞれ正対表示した表示状態を図７ａ〜７ｄに示す。図７ｄは尺度が２：１であり、細かい形状（溝部）も明確に表示されるものである。なお、図７ａ〜７ｄにおいては、説明のため３Ｄモデル１に対し属性情報の文字を大きく表記している。
【００２６】
次にステップＳ１０４において、各属性配置平面２ａ〜２ｄに対し、３Ｄモデル１と関連付けられている属性情報の３Ｄ空間内での配置範囲を算出する。この配置範囲は、各属性配置平面２ａ〜２ｄを正対表示した表示状態で、３Ｄモデル１と関連付けられている属性情報の全てを包含するような矩形形状として算出される。例えば図８ａでは線で囲まれた範囲が配置範囲３ａとなる。
【００２７】
次にステップＳ１０５において、設定尺度と配置範囲３ａより、点線で示される平面状のモデルおよび属性情報の配置範囲３ａを包含する最小のサイズの印刷範囲４ａ（実線）を有する紙等の記録媒体が選択される。例えば図８ａに示すように、尺度が１：１で配置範囲３ａが２１５×４１０ｍｍの場合は、Ａ３サイズ（２９７×４２０ｍｍ）の記録媒体が選択される。一方、４１０ｍｍが４３０ｍｍであった場合は、Ａ３サイズには収まりきれないため、Ａ２サイズ（４２０×５９４ｍｍ）が選択される。また、図８ａにおいて尺度が２：１の場合は、３Ｄ空間内での配置範囲３ａは２１５×４１０ｍｍとなるが、実際の範囲は４３０×８２０ｍｍとなるため、Ａ１サイズ（５９４×８４１ｍｍ）が選択される。
【００２８】
また図８ｂに示すように、図４の詳細図に相当する属性配置平面２ｄにおいて、配置範囲３ｄは予め設定された所望の詳細領域５（実線）およびそれに関連付けられている属性情報を包含する矩形形状となる。
【００２９】
本実施の形態においては、属性配置平面２ａ及び２ｂでは印刷範囲４ａおよび４ｂに対応するＡ３サイズの記録媒体が選択され、属性配置平面２ｃおよび２ｄでは印刷範囲４ｃおよび４ｄに対応するＡ４サイズの記録媒体が選択される（図７ａ〜７ｄ）。このように配置範囲３ａ〜３ｄに応じて、記録媒体のサイズ、印刷範囲が段階的に設定される。
【００３０】
また上記配置範囲３ａの中心が、選択された記録媒体の印刷範囲４ａの中心と一致して設定される（図８ａ）。当然必要に応じ、該印刷範囲に対し該配置範囲を相対的に移動修正してもよい（図８ｂ）。
【００３１】
次にステップＳ１０６において、印刷範囲を表示する。すなわち、印刷範囲４ａ〜４ｄが属性配置平面２ａ〜２ｄ上に、例えば矩形の線として表示される（図７ａ〜７ｄ）。このとき、表示画面を尺度に応じた表示範囲とすると、表示される上記印刷範囲４ａ〜４ｄの大きさは、実際の印刷範囲の大きさと同一となるものである。すなわち例えばＡ３サイズの印刷範囲４ａあるいは４ｂの表示画面にＡ３サイズの記録媒体を重ねると、両者の印刷範囲が一致する。そしてこの印刷範囲４ａ〜４ｄの表示により、操作者は印刷できる範囲を明確に把握することができる。
【００３２】
次にステップＳ１０７において、印刷出力する属性配置平面２ａ〜２ｄのいずれかを選択指定する。この選択指定時においては、表示画面の表示状態はいかなる状態でもよいものである。すなわち、３Ｄ空間内の表示方向を設定する視線の方向と選択される属性配置平面の法線方向、および視野範囲等により定まる表示範囲に関わらず、属性配置平面が選択指定される。例えば、図５あるいは図６に示すようなビュー方向（３Ｄモデルをある視点から見た方向）の表示状態において印刷すべき属性配置平面状の図面を選択することができる。
【００３３】
例えば、選択指定は、マウスを用いてカーソルを動かすことにより、直接属性配置平面のフレーム（例えば図５あるいは図６の属性配置平面２ａのフレーム）を選択したり、あるいは属性配置平面の名称をキー入力したりする等により実行される。このとき、複数の図面を選択することで印刷対象の図面の選択を効率化することができる。選択された属性配置平面は非選択の属性配置平面と異なる色で操作者に認識させる。
【００３４】
次にステップＳ１０８において、出力操作により、指定された属性配置平面の法線方向から見た（すなわち属性配置平面を正対表示した）３Ｄモデル１と属性配置平面に関連付けられている属性情報とを、ステップＳ１０５において設定した印刷範囲および規則用紙サイズを用いて印刷出力する。具体的には、出力対象の属性配置平面に設定された印刷範囲内の画像情報が、画像処理装置２０４において所定のフォーマットで変換された後、一時的にＲＡＭ２０１に保持され、出力装置２０６に送られることにより、設定された記録媒体のサイズで印刷出力される。このとき、３Ｄモデル１の画像情報は、尺度に基づき設定された印刷範囲４ａに対応するＡ４サイズの記録媒体に印刷される。すなわち印刷出力結果は３Ｄモデルの尺度を反映させたものとなる。
【００３５】
ここで、表示装置２０５の表示画面上（図５）で印刷出力済みである属性配置平面の表示を、他の属性配置平面の表示色とことなら示す処理を行う。例えば該当する属性配置平面のフレームの色等を変える、あるいは選択済みあるいは印刷出力済みであることを知らしめるマークを付す等、操作者が識別可能な異なる表示が適用される。これにより、複数の属性配置平面を効率良くかつ間違いなく選択できる。
【００３６】
なお、表示装置２０５の大きさの制約により、属性配置平面に設定されている尺度で表示すると、表示画面上に印刷範囲全体が表示されない場合がある。この場合、印刷範囲を２分割、４分割、あるいは９分割等に分割した後に、各分割範囲内の画像情報を出力装置２０６に転送し出力する。図９は、一例として印刷範囲４ａを６ａ〜６ｄに４分割している状態である。
【００３７】
属性配置平面２ａ、２ｂ、２ｃ、および２ｄ毎に印刷出力された結果を図１０ａ〜１０ｄに示す。印刷出力結果においては、必要に応じて３Ｄモデル１にはシェーディングが施される。なお、印刷結果は３Ｄモデル１と属性情報あるいは属性情報の引き出し線等との区別をより明確にするために、それぞれを異なる色のカラー印刷で印刷出力してもよい。また３Ｄモデル１と属性情報等が存在しない背景については白色、すなわち何も印刷しない状態が３Ｄモデル１と属性情報等がより明確になるものである。また、各属性配置平面の印刷出力に際しては、個々の属性配置平面の名称７ａ〜７ｄを印刷データに含めて印刷出力すると、印刷出力結果がいずれの属性配置平面を正対表示したものかが効率良く分かるものである。
【００３８】
以上説明したように、本実施の形態においては、表示画面の表示状態に関わらず、印刷対象の図面を効率よく選択することができ、属性配置平面毎に、属性配置平面を正対表示した時の３Ｄモデルと属性情報の全体を、所望の尺度かつ必要なサイズで印刷出力することができる。
【００３９】
なお、上記実施の形態においては、表示装置２０５と出力装置２０６の解像度について説明を省略したが、実施の形態ではこの解像度によらず適用し得るものである。例えば表示装置２０５が横１２８０×縦１０２４ピクセルを有しピクセルのサイズが０．２５×０．２５ｍｍとすると、表示装置２０５の表示画面はサイズが横３２０×縦２５６ｍｍで解像度は約１００ｄｐｉとなる。表示画面にＡ４サイズ（２９７×２１０ｍｍ）の印刷範囲を設定し、例えば６００ｄｐｉの解像度を有する出力装置２０６でＡ４サイズの記録媒体に印刷出力できる。
【００４０】
ただし、このときの印刷出力結果は１００ｄｐｉ相当の出力となり、３Ｄモデルの形状によっては十分な解像度とは言えない場合もあり得る。このような場合は、印刷範囲を分割し、分割された範囲を拡大して表示するときの画像情報を結合し、結合した画像情報を出力装置２０６で設定されている記録媒体のサイズで印刷することで、より高解像度の印刷出力を得ることができる。
【００４１】
例えば、表示装置２０５において、印刷範囲を４×４に１６分割し、分割された各範囲を４倍に拡大して表示の画像情報とし、１６個の範囲を結合して印刷出力することで、約４００ｄｐｉに相当する印刷出力を得ることができる。これは、属性配置平面に設定されている尺度で表示するとき、表示画面上に印刷範囲全体が表示されない場合においても、同様に適用し得るものである。そして、出力装置２０６に用意されるメモリを含め３Ｄ−ＣＡＤ装置に用意される十分な記憶容量の範囲で分割数に制限がなく、必要に応じ十分な解像度の印刷出力を得ることができるものである。
【００４２】
また上記実施の形態においては、属性配置平面に設定されている尺度で表示する場合の画像情報を利用して印刷出力したが、印刷範囲とこの印刷範囲に対応した記録媒体のサイズが設定されているため、印刷範囲全体を表示する任意のズームの度合いにおいて、印刷範囲内の画像情報を上記記録媒体のサイズに変換して印刷出力することにも本発明は適用し得るものである。
【００４３】
また上記実施の形態においては、画像処理装置２０４を有する構成としたが、画像処理の機能をＣＰＵ２０３に統合させてもよい。
【００４４】
また上記実施の形態においては、属性情報を入力後に属性配置平面の尺度あるいは印刷範囲を設定したが、これらの順番によらず、本発明は適用し得るものである。例えば３Ｄモデル作成中に属性配置平面の尺度を設定してもよい。またいずれのタイミングにおいても、印刷範囲を操作者が指定し得る。例えば属性配置平面上で任意の位置あるいは３Ｄモデルに対する相対的な位置、および印刷範囲のサイズを指定することで、印刷範囲が設定できる。
【００４５】
また上記実施の形態においては、印刷範囲のサイズあるいは対応する記録媒体のサイズを表示する構成としてもよい。この場合、例えば印刷範囲を示す矩形の四隅のいずれかの近傍に、サイズ名あるいはサイズを数値で表示する、あるいは矩形のフレームの中に表示する、あるいは印刷範囲の矩形の線近傍にポインタを位置させるとサイズが一時的に表示される等表示の方法はいかなる方法でもよい。
【００４６】
また上記実施の形態においては、属性配置平面に設定される尺度に基づき印刷範囲を設定したが、あらかじめ尺度に応じた印刷範囲を用意しておき、該印刷範囲を属性配置平面上に配置する構成としてもよい。
【００４７】
また、必要に応じ設定された印刷範囲を縮小して印刷出力してもよい。
【００４８】
また、画像情報の特定の色、例えば３Ｄモデルの稜線を表現する色を、画像処理装置２０４でいわゆる強調処理を行う構成としてもよい。強調処理は例えば該当する色に相当するピクセルの周りのピクセルを該当する色に変更し画像情報とすることでなされる。これにより、例えば３Ｄモデルの稜線が太めに印刷出力することができ、より見やすく間違いのない印刷出力結果を得ることができるものである。
【００４９】
また上記実施の形態では、出力装置２０６にビットマップデータ等のイメージデータが出力されたが、画像処理装置２０４においてＣＰＵ装置２０３から送られてくる幾何形状の幾何データからラスターの線分であるベクターを発生させ、ベクターデータを出力する構成としてもよい。
【図面の簡単な説明】
【００５０】
【図１】本発明の実施の形態における印刷出力処理のフローチャート。
【図２】本発明の実施の形態における情報処理装置のブロック図。
【図３】本発明の実施の形態における３Ｄモデルの一例を示す図。
【図４】本発明の実施の形態における３Ｄモデルに対して２Ｄの図面で表記した図。
【図５】本発明の実施の形態におけるあるビューから見た３Ｄモデルと属性配置平面を示す図。
【図６】本発明の実施の形態における３Ｄモデルと属性配置平面と属性情報を示す図。
【図７】ａ〜ｄは本発明の実施の形態における属性配置平面を正対表示した場合を示す図。
【図８】ａ及びｂは本発明の実施の形態における配置範囲を説明する図。
【図９】本発明の実施の形態における印刷範囲の分割を説明する図。
【図１０】ａ〜ｄは本発明の実施の形態における印刷出力結果を示す図。
【符号の説明】
【００５１】
２０１  ＲＡＭ
２０２  外部記憶装置
２０３  ＣＰＵ
２０４  画像処理装置
２０５  表示装置
２０６  出力装置
２０７  入力装置
【図１】
2005135272.tif 000003
【図２】
2005135272.tif 000004
【図３】
2005135272.tif 000005
【図４】
2005135272.tif 000006
【図５】
2005135272.tif 000007
【図６】
2005135272.tif 000008
【図７】
2005135272.tif 000009
【図８】
2005135272.tif 000010
【図９】
2005135272.tif 000011
【図１０】
2005135272.tif 000012